(57)【要約】【課題】時刻の設定、校正の手間を省略できるスイッチ装置および照明システムを提供すること。【解決手段】実施形態に係るスイッチ装置４は、表示部３１と、操作部３２と、取得部４０と、表示制御部４１とを具備する。操作部３２は、表示部３１に重ねて配置されるタッチスイッチを含む。取得部４０は、制御親機から、それぞれ負荷に対応付けられた操作ボタンが設けられた複数の操作ページのうち、最初に表示する操作ページの指定を取得する。表示制御部４１は、操作部３２に所定時間操作入力がない場合、表示部３１の表示を非表示にし、表示部３１が非表示の状態で操作部３２に操作入力があった場合、取得部４０で取得された操作ページを表示部３１に最初に表示させる制御を行う。【選択図】図７
2016009530.tif 000002
【特許請求の範囲】
【請求項１】
表示部と；
前記表示部に重ねて配置されるタッチスイッチを含む操作部と；
親機から、それぞれ負荷に対応付けられた操作ボタンが設けられた複数の操作ページのうち、最初に表示する操作ページの指定を取得する取得部と；
前記操作部に所定時間操作入力がない場合、前記表示部の表示を非表示にし、前記表示部が非表示の状態で前記操作部に操作入力があった場合、前記取得部で取得された操作ページを前記表示部に最初に表示させる制御を行う表示制御部と；
を具備するスイッチ装置。
【請求項２】
前記取得部は、前記親機から時刻情報を取得し、
現在時刻を計時する時計部と；
時刻ごとに最初に表示する操作ページを示す初期表示ページ情報を記憶する記憶部と；
前記取得部で時刻情報を取得すると、前記時計部の現在時刻を当該時刻情報の時刻に修正する修正部と；をさらに具備し、
前記表示制御部は、前記表示部が非表示の状態で前記操作部に操作入力があった場合、前記初期表示ページ情報に基づき、前記時計部の現在時刻に対応した最初に表示する操作ページを前記表示部に表示させる制御を行う請求項１に記載のスイッチ装置。
【請求項３】
前記取得部は、電力が供給された起動時に、前記親機から時刻情報を取得する請求項２に記載のスイッチ装置。
【請求項４】
それぞれ負荷に対応付けられた操作ボタンが設けられた複数の操作ページのうち、最初に表示する操作ページの指定を通知する通知部を具備する親機と；
表示部と、
前記表示部に重ねて配置されるタッチスイッチを含む操作部と、
前記親機から通知される最初に表示する操作ページの指定を取得する取得部と、
前記操作部に所定時間操作入力がない場合、前記表示部の表示を非表示にし、前記表示部が非表示の状態で前記操作部に操作入力があった場合、前記取得部で取得された操作ページを前記表示部に最初に表示させる制御を行う表示制御部と、を具備するスイッチ装置と；
を有する照明システム。
【発明の詳細な説明】
【技術分野】
【０００１】
本発明の実施形態は、スイッチ装置および照明システムに関する。
【背景技術】
【０００２】
近年、照明を操作するスイッチ装置として、複数個の操作ボタンを含む複数の操作ページを切替可能に表示部に表示し、利用者がタッチ操作により操作が可能なスイッチ装置が知られている。かかるスイッチ装置は、現在時刻を計時する時計部を備え、利用者の操作により時間帯毎に任意に指定された操作ページが時間帯と対応付けられて記憶され、画面表示の再開時に時計部の示す現在時刻が属する時間帯に対応する操作ページを最初に表示される。
【０００３】
しかしながら、従来のスイッチ装置は、最初に表示する操作ページをスケジュール制御する場合、時計部の時刻の設定が必要となり、手間がかかるという問題があった。特に、複数台設定される場合には、それぞれのスイッチ装置の時刻にずれが生じると照明のスケジュール制御と各スイッチ装置の表示内容が、利用者が望む状態で一致しなくなるおそれがある。このため、それぞれ時刻の初期化や校正が必要であり、台数が増えると作業性が悪くなる。
【先行技術文献】
【特許文献】
【０００４】
【特許文献１】特許第５３３０８９７号公報
【発明の概要】
【発明が解決しようとする課題】
【０００５】
本発明が解決しようとする課題は、スイッチ装置に対する時刻の設定、校正の手間を省略できるスイッチ装置および照明システムを提供することである。
【課題を解決するための手段】
【０００６】
実施形態に係るスイッチ装置は、表示部と、操作部と、取得部と、表示制御部とを具備する。操作部は、表示部に重ねて配置されるタッチスイッチを含む。取得部は、親機から、それぞれ負荷に対応付けられた操作ボタンが設けられた複数の操作ページのうち、最初に表示する操作ページの指定を取得する。表示制御部は、操作部に所定時間操作入力がない場合、表示部の表示を非表示にし、表示部が非表示の状態で操作部に操作入力があった場合、取得部で取得された操作ページを表示部に最初に表示させる制御を行う。
【図面の簡単な説明】
【０００７】
【図１】図１は、第１の実施形態に係る照明システムの構成例を示す図である。
【図２】図２は、第１の実施形態に係る照明システムが照明装置を点灯させる処理の一例を説明する図である。
【図３】図３は、第１の実施形態に係る照明システムが照明装置を点灯させる処理の一例を説明する図である。
【図４】図４は、第１の実施形態に係るスイッチ装置の一例を説明する図である。
【図５】図５は、第１の実施形態に係る上位装置の機能構成を説明する図である。
【図６】図６は、第１の実施形態に係る初期表示ページ情報１４の一例を説明する図である。
【図７】図７は、第１の実施形態に係るスイッチ装置の機能構成を説明する図である。
【図８】図８は、第１の実施形態に係る操作ボタン情報の一例を説明する図である。
【図９】図９は、第１の実施形態に係る操作ページ情報の一例を説明する図である。
【図１０】図１０は、第１の実施形態に係る制御親機が実行する処理の手順を示すフローチャートである。
【図１１】図１１は、第１の実施形態に係るスイッチ装置が実行する処理の手順を示すフローチャートである。
【図１２】図１２は、第２の実施形態に係るスイッチ装置の構成の一例を示す図である。
【図１３】図１３は、第２の実施形態に係るスイッチ装置４が実行する処理の手順を示すフローチャートである。
【図１４】図１４は、第２の実施形態に係るスイッチ装置４が実行する処理の手順を示すフローチャートである。
【発明を実施するための形態】
【０００８】
以下で説明する実施形態に係るスイッチ装置は、表示部と、操作部と、取得部と、表示制御部とを具備する。操作部は、表示部に重ねて配置されるタッチスイッチを含む。取得部は、親機から、それぞれ負荷に対応付けられた操作ボタンが設けられた複数の操作ページのうち、最初に表示する操作ページの指定を取得する。表示制御部は、操作部に所定時間操作入力がない場合、表示部の表示を非表示にし、表示部が非表示の状態で操作部に操作入力があった場合、取得部で取得された操作ページを表示部に最初に表示させる制御を行う。
【０００９】
また、以下で説明する実施形態に係る取得部は、親機から時刻情報を取得する。また、実施形態に係るスイッチ装置は、時計部と、記憶部と、修正部とをさらに具備する。時計部は、現在時刻を計時する。記憶部は、時刻ごとに最初に表示する操作ページを示す初期表示ページ情報を記憶する。修正部は、取得部で時刻情報を取得すると、時計部の現在時刻を当該時刻情報の時刻に修正する。表示制御部は、表示部が非表示の状態で操作部に操作入力があった場合、初期表示ページ情報に基づき、時計部の現在時刻に対応した最初に表示する操作ページを表示部に表示させる制御を行う。
【００１０】
また、以下で説明する実施形態に係る取得部は、電力が供給された起動時に、制御親機３から時刻情報を取得する。
【００１１】
また、以下で説明する実施形態に係る照明システムは、親機と、スイッチ装置とを有する。親機は、通知部を具備する。通知部は、それぞれ負荷に対応付けられた操作ボタンが設けられた複数の操作ページのうち、最初に表示する操作ページの指定を通知する。また、スイッチ装置は、表示部と、操作部と、取得部と、表示制御部とを具備する。操作部は、表示部に重ねて配置されるタッチスイッチを含む。取得部は、制御親機から、それぞれ負荷に対応付けられた操作ボタンが設けられた複数の操作ページのうち、最初に表示する操作ページの指定を取得する。表示制御部は、操作部に所定時間操作入力がない場合、表示部の表示を非表示にし、表示部が非表示の状態で操作部に操作入力があった場合、取得部で取得された操作ページを表示部に最初に表示させる制御を行う。
【００１２】
以下、図面を参照して、実施形態に係る照明システム１を説明する。なお、実施形態において同一の部位には同一の符号を付し、重複する説明は省略される。
【００１３】
（第１の実施形態）
まず、図１〜図１１を用いて、第１の実施形態に係る照明システムについて説明する。
【００１４】
［照明システム１の構成］
図１は、第１の実施形態に係る照明システムの構成例を示す図である。図１に示した照明システム１は、オフィス等に設置された照明装置の制御や監視を実現するシステムである。例えば、照明システム１は、Ｔ／Ｆｌｅｃｓ（登録商標）等、照明装置の設置された環境の情報をセンサ等で取得し、取得した情報に基づいて、照明装置の制御を行う場合がある。
【００１５】
図１に示した照明システム１は、端末装置２と制御親機３とが接続される。また、照明システム１は、制御親機３と、複数のスイッチ装置４および複数の照明装置５とが接続される。照明装置５は、任意の場所を照明する照明部である。なお、図１に示す照明システム１が有するスイッチ装置４、照明装置５の数は、一例に過ぎず、照明システム１の構成に応じて適宜変更可能である。
【００１６】
端末装置２は、照明システム１の設定を行なう端末装置であり、例えば、ＰＣ（Personal  Computer）、タブレット、携帯端末装置等の端末装置である。また、端末装置２は、利用者の操作により、制御親機３に対し、照明システム１の各種設定を行なう。例えば、端末装置２は、照明システム１が有する照明装置５とスイッチ装置４との対応を設定する。照明システム１は、スイッチ装置４と照明装置５とが対応付けされた場合は、対応付けされたスイッチ装置４が受け付けた制御指示に従って、照明装置５の点灯や消灯を行なう。
【００１７】
制御親機３は、照明システム１全体の制御を行なう制御装置である。例えば、制御親機３は、スイッチ装置４と照明装置５とが対応付けられた際に、スイッチ装置４に対して照明装置５と対応付けする設定を行う。スイッチ装置４と照明装置５との対応付けの設定は、管理者が各スイッチ装置４に対して個別に行ってもよい。制御親機３は、照明器具の制御を行うために、任意の種別の制御方式を利用することができる。例えば、制御親機３は、照明器具を制御するために、Ｔ／Ｆｌｅｃｓ（登録商標）、ＤＡＬＩ（Digital  Addressable  Lighting  Interface）、ＰＷＭ（Pulse  Width  Modulation）等、様々な制御方式に対応する制御信号を出力する。
【００１８】
スイッチ装置４は、照明システム１が有する照明装置５の制御を行なう装置である。スイッチ装置４は、照明システム１が有する照明装置５に対する制御指示を利用者から受け付ける。例えば、スイッチ装置４は、照明装置５の操作パネルであり、照明装置５の点灯、消灯等を利用者から受け付けると、受け付けた点灯、消灯等を示す制御指示を制御親機３に出力する。制御指示を受信した制御親機３は、制御指示を出力したスイッチ装置４に対応付けられた照明装置５に対し、制御信号を送信し点消灯制御する。
【００１９】
照明装置５は、例えば、宅内やオフィス等に設置された照明装置であり、交換可能な照明である。例えば、照明装置５は、ＬＥＤ（Light  Emitting  Diode）等の照明器具と、照明器具の制御を行なう電源制御部とを有し、制御親機３から受信した制御信号に従って、電源制御部が照明器具を制御することで、点灯、消灯等を行なう。
【００２０】
［照明システムによる照明装置の制御］
次に、図２、図３を用いて、照明システム１が実行する照明制御について説明する。図２、図３は、第１の実施形態に係る照明システムが照明装置を点灯させる処理の一例を説明する図である。なお、図２、図３に示す例では、照明装置を設置するレイアウトの一例として、Ｘ軸方向に６つ、Ｙ軸方向に６つの計３６個の照明装置を設置する例について記載した。また、図２、図３に示す例では、消灯する照明装置を白抜きの四角で示し、点灯する照明装置を黒塗りの四角で示した。また、図２、図３に示す例では、レイアウトの上辺部分および右辺部分の壁面に、照明装置を操作するためのスイッチ装置４が配置されている。
【００２１】
例えば、照明システム１は、図２に示すように、各照明装置を１つの操作部と対応付ける。そして、照明システム１は、図２に示す照明装置に対応付けられた操作部が、利用者から点灯指示を受け付けた場合は、図２に示す１つの照明装置を点灯させる。
【００２２】
また、例えば、照明システム１は、図３中（Ａ）に示すように、Ｘ軸方向に２つ、Ｙ軸方向に２つの計４つの照明装置を１つのグループとし、各照明装置のグループを１つの操作部と対応付ける。例えば、図３の例では、３６個の照明装置を４つの照明装置毎に９つのグループに分けてそれぞれ、操作部と対応付ける。そして、照明システム１は、図３中（Ｂ）に示す照明装置のグループと対応付けられた操作部が、利用者から点灯指示を受け付けた場合は、図３中（Ｂ）に示す４つの照明装置を点灯させる。
【００２３】
ここで、例えば、会社等では、日中など、個々の照明を個別に操作することが煩雑であるため、比較的に広いエリア毎に、照明の制御し、夜間など、必要な部分のみを点灯させて電力消費を抑えるため、比較的に狭いエリア毎に、照明の制御したい要望がある。しかし、個々の照明装置や、照明装置のグループ毎に、操作部を設ける場合、操作部の数が多くなる。そこで、照明システム１は、スイッチ装置４にタッチ操作が可能な操作パネルを設けて、各操作部を操作ボタンとして、複数個の操作ボタンを含む複数の操作ページを切替可能に表示させる。
【００２４】
ここで、スイッチ装置４の一例を説明する。図４は、第１の実施形態に係るスイッチ装置の一例を説明する図である。スイッチ装置４は、表示部３１を有し、表示部３１に対する利用者のタッチ操作の検出が可能とされている。表示部３１は、複数の操作ボタン２０が設けられた操作ページ２１が表示されており、タブ２２を操作すること操作ページ２１の切り替えが可能とされている。図４の例は、操作ページに、９つの操作ボタン２０を設けた場合を示している。例えば、スイッチ装置４に操作ページ毎に、９つの操作ボタン２０を設ける場合、照明システム１は、図２に示した３６個の照明装置をそれぞれ操作ボタン２０に対応させた４つの操作ページ２１と、図３に示した４つの照明装置を１つのグループとする９つのグループに対してそれぞれ操作ボタンを対応させた１つの操作ページ２１をスイッチ装置４に切替可能に表示させる。つまり、スイッチ装置４は個別制御用の４つの操作ページ２１とグループ制御用の１つの操作ページを有しており、これらの５つの操作ページ２１をタブ２２で切り替え可能に構成されている。
【００２５】
スイッチ装置４は、このように複数の操作ページ２１を切替可能とした場合、主に使用される操作ページ２１が時間帯毎に異なる場合がある。例えば、スイッチ装置４は、日中、照明をグループで操作する操作ページ２１が主に使用され、夜間、照明を個々に操作する操作ページ２１が主に使用される。そこで、照明システム１は、制御親機３からスイッチ装置４に最初に表示する操作ページ２１を制御可能としている。
【００２６】
［制御親機３の構成］
次に、図５を用いて、制御親機３が有する機能構成の一例を説明する。図５は、第１の実施形態に係る上位装置の機能構成を説明する図である。図５に示すように、制御親機３は、通信制御部１０、計時部１１、記憶部１２、制御部１３を有する。また、記憶部１２は、初期表示ページ情報１４を記憶する。
【００２７】
［初期表示ページ情報１４の一例］
まず、記憶部１２が記憶する初期表示ページ情報１４に格納される情報について説明する。初期表示ページ情報１４は、各スイッチ装置４に初期表示させる操作ページ２１に関する情報が格納されている。以下、図６を用いて、初期表示ページ情報１４に格納される情報の一例について説明する。
【００２８】
図６は、第１の実施形態に係る初期表示ページ情報の一例を説明する図である。図６に示すように、初期表示ページ情報１４は、期間、スイッチＩＤ、初期ページの各項目を有する。期間の項目は、操作ページ２１を初期表示させる期間の情報を記憶する領域である。スイッチＩＤの項目は、スイッチ装置４を識別する識別情報を記憶する領域である。スイッチ装置４には、それぞれを識別する識別情報として、ユニークなスイッチＩＤが付与される。スイッチＩＤの項目には、操作ページ２１を初期表示させるスイッチ装置４のスイッチＩＤが格納される。初期ページの項目は、初期表示させる操作ページ２１を示す情報を記憶する領域である。操作ページ２１には、それぞれを識別する識別情報として、ユニークなページＩＤが付与される。初期ページの項目には、初期表示させる操作ページ２１のページＩＤが格納される。例えば、図６の例では、期間が「８：００〜１７：５９」の間、スイッチＩＤが「Ｓ１」のスイッチ装置４に、初期ページ「Ｐ１」を初期表示させる設定がされている。また、図６の例では、期間が「１８：００〜７：５９」の間、スイッチＩＤが「Ｓ１」のスイッチ装置４に、初期ページ「Ｐ２」を初期表示させる設定がされている。なお、図６に示す初期表示ページ情報１４は、あくまで一例であり、実施形態を限定するものではない。図６の例では、スイッチＩＤが「Ｓ１」、「Ｓ２」ついて、同じ操作ページが初期表示されるように設定されているが、初期ページの項目の設定を変えることにより時間帯毎に異なる操作ページを初期表示されるように設定することも可能である。例えば、図２に示した２つのスイッチ装置４について、期間が「８：００〜１７：５９」の間、それぞれに近い照明装置５の操作ボタンを含んだ操作ページが初期表示されるように設定してもよい。
【００２９】
［制御親機３が有する各部が実行する処理の一例］
図５に戻り、説明を続ける。通信制御部１０は、他の装置、例えば、端末装置２やスイッチ装置４、照明装置５との間で通信制御を行うインタフェースである。例えば、通信制御部１０は、後述する通知部１５の制御により、スイッチ装置４に対して、最初に表示する操作ページ２１を指定する指定情報を送信する。
【００３０】
計時部１１は、照明システム１が設置された場所の現在時刻を計時する時計である。
【００３１】
制御部１３は、通信制御部１０と計時部１１と記憶部１２と接続される。制御部１３は、各種の処理手順などを規定したプログラムを記憶する内部メモリを有し、種々の処理を制御する。制御部１３は、例えば、ＡＳＩＣ（Application  Specific  Integrated  Circuit）、ＦＰＧＡ（Field  Programmable  Gate  Array）、ＣＰＵ（Central  Processing  Unit）、ＭＰＵ（Micro  Processing  Unit）などである。図２に示す例では、制御部１３は、通知部１５を有する。
【００３２】
通知部１５は、周期的に初期表示ページ情報１４を読み出し、各スイッチ装置４に最初に表示する操作ページ２１を指定する指定情報を通知する。例えば、通知部１５は、計時部１１により計時される時刻を期間に含むレコードを初期表示ページ情報１４から読み出す。そして、通知部１５は、読み出したレコードのスイッチＩＤのスイッチ装置４へ、初期ページの項目に設定されたページＩＤを指定情報として通知する。なお、通知部１５は、スイッチ装置４の初期ページが切り替わった際のみ通知を行うものとしてもよい。
【００３３】
［スイッチ装置４の構成］
次に、図７を用いて、スイッチ装置４が有する機能構成の一例を説明する。図７は、第１の実施形態に係るスイッチ装置の機能構成を説明する図である。図７に示すように、スイッチ装置４は、通信制御部３０、表示部３１、操作部３２、記憶部３３、制御部３４を有する。また、記憶部３３は、操作ボタン情報３５、操作ページ情報３６を記憶する。
【００３４】
［操作ボタン情報３５の一例］
まず、記憶部３３が記憶する操作ボタン情報３５に格納される情報について説明する。操作ボタン情報３５は、操作ボタン２０に対応付けた照明装置５に関する情報が格納されている。以下、図８を用いて、操作ボタン情報３５に格納される情報の一例について説明する。
【００３５】
図８は、第１の実施形態に係る操作ボタン情報の一例を説明する図である。図８に示すように、操作ボタン情報３５は、ボタンＩＤ、名称、対応照明の各項目を有する。ボタンＩＤの項目は、操作ボタン２０を識別する識別情報を記憶する領域である。操作ボタン２０には、それぞれを識別する識別情報として、ユニークなボタンＩＤが付与される。ボタンＩＤの項目には、操作ボタン２０のボタンＩＤが格納される。名称の項目は、操作ボタン２０上に表示させる名称を記憶する領域である。対応照明の項目は、ボタンＩＤの操作ボタン２０に対応付ける照明装置５を識別する識別情報を記憶する領域である。照明装置５には、それぞれを識別する識別情報として、ユニークなＩＤが付与される。対応照明の項目の項目には、対応付ける照明装置５のＩＤが格納される。本実施例では、例えば、図６の例では、ボタンＩＤが「Ｂ１」の操作ボタン２０に、名称として「エリア１」、対応照明として「照明１〜４」が設定されている。なお、対応照明の項目は、ボタンＩＤと対応照明との関係が制御親機３に設定されている場合にはスイッチ装置４に記憶しなくてもよい。
【００３６】
［操作ページ情報３６の一例］
次に、記憶部３３が記憶する操作ページ情報３６に格納される情報について説明する。操作ページ情報３６は、操作ページ２１に表示する操作ボタン２０に関する情報が格納されている。以下、図９を用いて、操作ページ情報３６に格納される情報の一例について説明する。
【００３７】
図９は、第１の実施形態に係る操作ページ情報の一例を説明する図である。図９に示すように、操作ページ情報３６は、操作ページ、配置ボタンの各項目を有する。操作ページの項目は、操作ページ２１を識別する識別情報としてページＩＤを記憶する領域である。配置ボタンの項目は、ページＩＤの操作ページ２１に表示させる操作ボタン２０のボタンＩＤを記憶する領域である。図９の例では、操作ページ「Ｐ１」の操作ページ２１には、ボタンＩＤ「Ｂ１〜Ｂ９」の操作ボタン２０を表示させる設定されている。
【００３８】
［スイッチ装置４が有する各部が実行する処理の一例］
図７に戻り、説明を続ける。通信制御部３０は、他の装置、例えば、制御親機３や他のスイッチ装置４、照明装置５との間で通信制御を行うインタフェースである。例えば、通信制御部３０は、制御親機３から最初に表示する操作ページを指定する指定情報を受信する。また、通信制御部３０は、直接または制御親機３を介して照明装置５に対して、点灯や消灯などの照明の制御情報を送信する。制御親機３を介して制御情報を送信する場合は、スイッチ装置４からボタンＩＤを制御親機３に送信し、制御親機３は、制御親機３に予め設定されたボタンＩＤと照明装置５との対応関係に基づいて、ボタンＩＤに対応する照明装置５に対して制御情報を送信する。
【００３９】
表示部３１は、各種の情報を表示可能な表示デバイスである。表示部３１は、ＬＣＤ（Liquid  Crystal  Display）や、有機ＥＬ（electroluminescence）ディスプレイなどである。
【００４０】
操作部３２は、各種の情報を操作入力するデバイスである。例えば、操作部３２は、表示部３１上に設けられた透過型のタッチセンサなどの入力デバイスが挙げられる。操作部３２は、表示部３１に対するタッチ操作を検出し、検出された操作内容を示す操作情報を制御部３４へ出力する。なお、スイッチ装置４は、操作部３２として、物理的なボタンが設けられていてもよい。
【００４１】
制御部３４は、通信制御部３０と表示部３１と操作部３２と記憶部３３と接続される。制御部３４は、各種の処理手順などを規定したプログラムを記憶する内部メモリを有し、種々の処理を制御する。制御部３４は、例えば、ＡＳＩＣ、ＦＰＧＡ、ＣＰＵ、ＭＰＵなどである。図２に示す例では、制御部３４は、取得部４０、表示制御部４１を有する。
【００４２】
取得部４０は、制御親機３から最初に表示する操作ページを指定する指定情報を取得する。この指定情報は、制御親機３が周期的に送信してもよい。また、指定情報は、取得部４０が周期的に制御親機３に対して送信を要求し、制御親機３が要求に応じて送信してもよい。本実施例では、制御親機３が周期的に送信する場合を想定する。
【００４３】
表示制御部４１は、表示部３１の表示を制御する。例えば、表示制御部４１は、操作部３２で検出された操作内容に応じて表示部３１の表示を切り替える。例えば、表示制御部４１は、図４に示すタブ２２がタッチ操作された場合、タッチ操作されたタブ２２の操作ページ２１を表示部３１に表示させる。
【００４４】
また、表示制御部４１は、操作部３２に所定時間操作入力がない場合、表示部３１の表示を非表示にする。例えば、表示制御部４１は、表示部３１のバックライトを消灯して表示部３１の表示を非表示にする。なお、表示制御部４１は、表示部３１への電力をＯＦＦして表示を非表示にしてもよい。これにより、所定時間操作入力がない場合、スイッチ装置４の電力消費を低減させることができる。
【００４５】
また、表示制御部４１は、表示部３１が非表示の状態で操作部３２に操作入力があった場合、取得部４０で取得された操作ページを表示部３１に最初に表示させる制御を行う。例えば、表示制御部４１は、取得部４０で取得された操作ページに表示させる操作ボタンを操作ページ情報３６から特定する。そして、表示制御部４１は、操作ページ情報３６から特定した操作ボタンの名称を操作ボタン情報３５から読み出し、操作ボタン上にそれぞれの名称を表示させた操作ページを表示部３１に表示させる制御を行う。例えば、図６のように設定されている場合、表示制御部４１は、「８：００〜１７：５９」の間、スイッチＩＤが「Ｓ１」のスイッチ装置４に、ページＩＤ「Ｐ１」を操作ページが初期表示させる。一方、表示制御部４１は、「１８：００〜７：５９」の間、スイッチＩＤが「Ｓ１」のスイッチ装置４に、ページＩＤ「Ｐ２」を操作ページが初期表示させる。
【００４６】
これにより、照明システム１は、各スイッチ装置４に時刻を設定する手間を省いて、最初に表示する操作ページ２１をスケジュール制御することができる。また、照明システム１は、制御親機３が時刻に応じて各スイッチ装置４に最初に表示する操作ページ２１を通知することにより、スイッチ装置４が複数台設定される場合でも、照明のスケジュール制御と各スイッチ装置の表示内容を利用者が望む状態で一致させることができる。
【００４７】
［照明システム１による処理の手順］
次に、第１の実施形態に係る照明システム１がスイッチ装置４の表示部３１に初期表示する操作ページ２１を制御する流れを説明する。
【００４８】
図１０は、第１の実施形態に係る制御親機が実行する処理の手順を示すフローチャートである。なお、制御親機３は、図１０に示す処理を常時、若しくは、所定の時間間隔で実行する。
【００４９】
例えば、通知部１５は、計時部１１により計時される時刻を期間に含むレコードを初期表示ページ情報１４から読み出す（Ｓ１０）。そして、通知部１５は、読み出したレコードのスイッチＩＤのスイッチ装置４へ、初期ページの項目に設定されたページＩＤを指定情報として通知し（Ｓ１１）、処理を終了する。この指定情報は、スイッチ装置４の取得部４０で取得される。
【００５０】
図１１は、第１の実施形態に係るスイッチ装置が実行する処理の手順を示すフローチャートである。なお、スイッチ装置４は、図１１に示す処理を表示部３１が非表示状態で操作部３２により操作入力が検出された場合に実行する。
【００５１】
例えば、表示制御部４１は、取得部４０で取得された操作ページを表示部３１に最初に表示させる（Ｓ２０）。
【００５２】
表示制御部４１は、操作部３２で操作入力が検出されたか否かを判定する（Ｓ２１）。操作入力が検出された場合（Ｓ２１肯定）、表示制御部４１は、操作部３２で検出された操作内容に応じて表示部３１の表示を切り替え（Ｓ２２）、上述のＳ２１へ移行する。
【００５３】
一方、操作入力が検出されない場合（Ｓ２１否定）、表示制御部４１は、操作部３２で操作入力が検出されてから所定時間経過したか判定する（Ｓ２３）。所定時間経過していない場合（Ｓ２３否定）、上述のＳ２１へ移行する。
【００５４】
一方、所定時間経過した場合（Ｓ２３肯定）、表示制御部４１は、表示部３１の表示を非表示にし（Ｓ２４）、処理を終了する。
【００５５】
［第１の実施形態の効果］
上述したように、第１の実施形態に係るスイッチ装置４は、表示部３１と、操作部３２と、取得部４０と、表示制御部４１とを具備する。操作部３２は、表示部３１に重ねて配置されるタッチスイッチを含む。取得部４０は、制御親機３から、それぞれ負荷に対応付けられた操作ボタンが設けられた複数の操作ページのうち、最初に表示する操作ページの指定を取得する。表示制御部４１は、操作部３２に所定時間操作入力がない場合、表示部３１の表示を非表示にし、表示部３１が非表示の状態で操作部３２に操作入力があった場合、取得部４０で取得された操作ページを表示部３１に最初に表示させる制御を行う。これにより、第１の実施形態に係るスイッチ装置４は、スイッチ装置４に対する時刻の設定、校正の手間を省略できる。
【００５６】
（第２の実施形態）
次に、図１２〜図１４を用いて、第２の実施形態に係る照明システムについて説明する。第２の実施形態では、制御親機３は、時刻情報を通知する。スイッチ装置４は、現在時刻を計時しており、制御親機３から取得した時刻情報に基づいて、時刻情報を修正する。また、スイッチ装置４は、時刻ごとに最初に表示する操作ページを示す初期表示ページ情報を記憶しており、表示部３１が非表示の状態で操作入力があった場合、現在時刻に対応した最初に表示する操作ページを表示部３１に表示させる場合について説明する。
【００５７】
［第２の実施形態に係る照明システム１の構成］
第２の実施形態に係る照明システム１の構成は、図１に示す第１の実施形態に係る照明システム１の構成と同様であるため、説明は省略する。
【００５８】
第２の実施形態に係る制御親機３の構成は、図５に示す第１の実施形態に係る制御親機３の構成と同様であるため、第１の実施形態と相違する点について特に説明し、同様の機能および構成についての説明は省略する。
【００５９】
制御親機３の通知部１５は、計時部１１の現在時刻を読み出し、各スイッチ装置４に現在時刻を通知する。例えば、通知部１５は、スイッチ装置４から時刻情報の送信要求を受信すると、現在時刻をスイッチ装置４に通知する。なお、通知部１５は、周期的に計時部１１の現在時刻を読み出し、各スイッチ装置４に現在時刻を通知してもよい。
【００６０】
［スイッチ装置４の構成の一例］
図１２は、第２の実施形態に係るスイッチ装置の構成の一例を示す図である。第２の実施形態に係るスイッチ装置４の構成は、図７に示す第１の実施形態に係るスイッチ装置４と略同様であるため、第１の実施形態と相違する点について特に説明し、同様の機能および構成についての説明は省略する。
【００６１】
記憶部３３は、初期表示ページ情報３７をさらに記憶する。初期表示ページ情報３７は、図６に示した初期表示ページ情報１４と同様の構成であるため、説明は省略する。
【００６２】
スイッチ装置４は、時計部３８を有する。時計部３８は、照明システム１が設置された場所の現在時刻を計時する。
【００６３】
また、制御部３４は、修正部４２をさらに有する。
【００６４】
取得部４０は、制御親機３から時刻情報を取得する。この時刻情報は、制御親機３が周期的に送信してもよい。また、時刻情報は、取得部４０が制御親機３に対して送信を要求し、制御親機３が要求に応じて送信してもよい。本実施例では、スイッチ装置４の電源がオンされて電力が供給された起動時に、制御親機３に対して送信を要求し、制御親機３が要求に応じて送信する。
【００６５】
修正部４２は、取得部４０で時刻情報を取得すると、時計部３８の現在時刻を当該時刻情報の時刻に修正する。
【００６６】
表示制御部４１は、表示部３１が非表示の状態で操作部３２に操作入力があった場合、初期表示ページ情報３７に基づき、時計部３８の現在時刻に対応した最初に表示する操作ページを表示部３１に表示させる制御を行う。例えば、表示制御部４１は、計時部３８により計時される時刻を期間に含み、スイッチＩＤが自装置のスイッチＩＤのレコードを初期表示ページ情報３７から読み出す。そして、通知部１５は、読み出したレコードの初期ページの項目に設定されたページＩＤを最初に表示する操作ページとして表示させる。例えば、表示制御部４１は、初期ページの項目に設定されたページＩＤの操作ページに表示させる操作ボタンを操作ページ情報３６から特定する。そして、表示制御部４１は、操作ページ情報３６から特定した操作ボタンの名称を操作ボタン情報３５から読み出し、操作ボタン上にそれぞれの名称を表示させた操作ページを表示部３１に表示させる制御を行う。
【００６７】
これにより、照明システム１は、各スイッチ装置４に時刻を個別に設定する手間を省いて、最初に表示する操作ページ２１をスケジュール制御することができる。また、照明システム１は、制御親機３が時刻情報を各スイッチ装置４に通知することにより、スイッチ装置４が複数台設定される場合でも、照明のスケジュール制御と各スイッチ装置の表示内容を利用者が望む状態で一致させることができる。
【００６８】
［照明システム１による処理の手順］
次に、第２の実施形態に係る照明システム１がスイッチ装置４の表示部３１に初期表示する操作ページ２１を制御する流れを説明する。
【００６９】
最初に、スイッチ装置４の時刻を修正する流れを説明する。図１３は、第２の実施形態に係るスイッチ装置４が実行する処理の手順を示すフローチャートである。なお、スイッチ装置４は、図１３に示す処理を電力が供給された起動のタイミングで実行する。
【００７０】
例えば、取得部４０は、制御親機３に対して送信を要求する（Ｓ３０）。これにより、制御親機３は、計時部１１の現在時刻を読み出し、現在時刻を通知する。取得部４０は、この時刻情報を取得する（Ｓ３１）。
【００７１】
修正部４２は、時計部３８の現在時刻を当該時刻情報の時刻に修正し（Ｓ３２）、処理を終了する。
【００７２】
図１４は、第２の実施形態に係るスイッチ装置４が実行する処理の手順を示すフローチャートである。なお、スイッチ装置４は、図１１に示す処理を表示部３１が非表示状態で操作部３２により操作入力が検出された場合に実行する。なお、図１１に示す処理と同一の処理部分については同一の符号を付して、説明は省略する。
【００７３】
例えば、表示制御部４１は、時計部３８の現在時刻に対応した最初に表示する操作ページを表示部３１に表示させる（Ｓ４０）。
【００７４】
［第２の実施形態の効果］
上述したように、第２の実施形態に係るスイッチ装置４では、取得部４０は、制御親機３から時刻情報を取得する。また、第２の実施形態に係るスイッチ装置４は、時計部３８と、記憶部３３と、修正部４２とをさらに具備する。時計部３８は、現在時刻を計時する。記憶部３３は、時刻ごとに最初に表示する操作ページを示す初期表示ページ情報３７を記憶する。修正部４２は、取得部４０で時刻情報を取得すると、時計部３８の現在時刻を当該時刻情報の時刻に修正する。表示制御部４１は、表示部３１が非表示の状態で操作部３２に操作入力があった場合、初期表示ページ情報３７に基づき、時計部３８の現在時刻に対応した最初に表示する操作ページを表示部３１に表示させる制御を行う。これにより、第２の実施形態に係るスイッチ装置４は、各スイッチ装置４に時刻を個別に設定する手間を省いて、最初に表示する操作ページ２１をスケジュール制御することができる。
【００７５】
上述したように、第２の実施形態に係るスイッチ装置４では、取得部４０は、電力が供給された起動時に、制御親機３から時刻情報を取得する。これにより、第２の実施形態に係るスイッチ装置４は、時刻を速やかに同期でき、各スイッチ装置の表示内容を利用者が望む状態で一致させることができる。
【００７６】
（他の実施形態）
上述してきた照明システム１は、上記実施形態以外にも種々の異なる形態にて実施されてよい。そこで、以下では、上記の照明システム１の様々な変形例について説明する。
【００７７】
［処理の実行主体について］
上述した例では、同じ部屋に設けられた照明装置５をスイッチ装置４で制御する例について記載した。しかしながら、実施形態は、これに限定されるものではない。すなわち、別の部屋や階の異なる部屋の照明装置５を同じスイッチ装置４で制御してもよい。例えば、複数階の建物の照明装置５を同じスイッチ装置４で制御してもよい。例えば、出勤および退勤の時間帯では、１階に設けたスイッチ装置４に階毎に照明装置５を操作ボタンに対応させた操作ページを初期表示させる。勤務中の時間帯では、各階に設けたスイッチ装置４に、それぞれの階の照明装置５を個別に操作ボタンに対応させた操作ページを初期表示させるように制御してもよい。これにより、出勤および退勤の時間帯では、１階に設けたスイッチ装置４で各階の照明装置５を操作でき、勤務中の時間帯では、各階に設けたスイッチ装置４でそれぞれの階の照明装置５を個別に操作できる。
【００７８】
以上、本発明の実施形態を説明したが、実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。実施形態やその変形は、発明の範囲や要旨に含まれると同様に、特許請求の範囲に記載された発明とその均等の範囲に含まれるものである。
【符号の説明】
【００７９】
１  照明システム
３  制御親機
４  スイッチ装置
５  照明装置
１０  通信制御部
１１  計時部
１２  記憶部
１３  制御部
１４  初期表示ページ情報
１５  通知部
２０  操作ボタン
２１  操作ページ
２２  タブ
３０  通信制御部
３１  表示部
３２  操作部
３３  記憶部
３４  制御部
３５  操作ボタン情報
３６  操作ページ情報
３７  期表示ページ情報
３８  計時部
４０  取得部
４１  表示制御部
４２  修正部
【図１】
2016009530.tif 000003
【図２】
2016009530.tif 000004
【図３】
2016009530.tif 000005
【図４】
2016009530.tif 000006
【図５】
2016009530.tif 000007
【図６】
2016009530.tif 000008
【図７】
2016009530.tif 000009
【図８】
2016009530.tif 000010
【図９】
2016009530.tif 000011
【図１０】
2016009530.tif 000012
【図１１】
2016009530.tif 000013
【図１２】
2016009530.tif 000014
【図１３】
2016009530.tif 000015
【図１４】
2016009530.tif 000016